(57)【特許請求の範囲】
【請求項１】
掃除機本体と、該掃除機本体の吸込口に接続される可撓性のホースと、該ホースの先端部に設けられた接続管と、該接続管の先端部に延長管を介して取付け可能な吸込口体と、前記接続管の外面に設けられた手元操作部と、前記掃除機本体からホースを介して手元操作部へ導かれる信号線とを備え、
前記手元操作部が、開放端面を有しこの開放端面が接続管の外面に密接されることにより接続管との間に内部空間を形成すると共に前記開放端面とは反対側の表面に前記内部空間へ通じる配線孔が設けられた接続管カバーと、該接続管カバーの表面に取付けられると共に一部が前記配線孔から前記内部空間へ通されて前記信号線に接続されるスイッチ板と、このスイッチ板に設けられたスイッチ部と、前記スイッチ板を所要の間隙を有して覆った状態で裏面の周縁部を前記接続管カバーの表面に外部からの水分の侵入を防止可能に取付けられ前記スイッチ部に対応した位置に形成された操作部を有する表示板とを備えた電気掃除機において、
前記接続管カバーに形成された前記配線孔をシール部材で、前記内部空間側から前記スイッチ板と表示板との間への水の侵入を防止可能に閉塞したことを特徴とする電気掃除機。
【請求項２】
前記シール部材が、前記表示板の裏面の周縁部に形成された粘着材の塗布範囲を前記配線孔の部分にまで拡張して、配線孔の周縁部に沿った部分に接着することにより、配線孔を閉塞させるよう構成したことを特徴とする請求項１記載の電気掃除機。
【発明の詳細な説明】
【０００１】
【発明の属する技術分野】
この発明は、電気掃除機に関するものである。
【０００２】
【従来の技術】
例えば、家庭用の電気掃除機は、図６乃至図１０に示すように、電動送風機と電力制御回路と集塵部とを有する掃除機本体１を備えており、この掃除機本体１の吸込口２には蛇腹状などをした可撓性のホース３が接続されている。
【０００３】
このホース３の先端部には握り管部４を回転自在に係止する接続管５が接着固定されており、前記握り管部４に延長管６を介して床ブラシなどの吸込口体７を取付け得るようになっている。
【０００４】
また、前記接続管５には外面の上側部に手元操作部８が取付けられており、手元操作部８には前記掃除機本体１からの図示しない信号線がホース３を介して導かれている。
【０００５】
この手元操作部８は、接続管５の上側部に形成されたカバー取付座部９と、このカバー取付座部９に形成された縁受け部１０にネジ１３により取り付けられた接続管カバー１５とを備えている。接続管カバー１５は開放端面１１を有し、この開放端面１１には段差付縁部１２が形成され、この段差付縁部１２がカバー取付座部９の縁受け部１０に密接されており、カバー取付座部９と接続管カバー１５とによって内部空間１４が形成されている。
【０００６】
この接続管カバー１５には開放端面１１とは反対側の表面に凹状の表示板取付部１６が形成され、この表示板取付部１６の内側には更に凹状のスイッチ取付部１７が形成されており、このスイッチ取付部１７の端部に前記内部空間１４へ通じる配線孔１８が形成されている。
【０００７】
そして、前記スイッチ取付部１７に対し薄板状の配線基板から成るスイッチ板１９が接着剤などを用いて貼付けられると共に、スイッチ板１９の一部が前記配線孔１８から前記内部空間１４へ通されて前記ホース３側へ折り返されて信号線２０に接続されている。
【０００８】
このスイッチ板１９には複数のスイッチ部２１が設けられている。このスイッチ部２１はスイッチ板１９に一体形成された固定接点２２と、この固定接点２２を覆うようにスイッチ板１９上に配置された変形復帰可能なドーム状接片２３とで構成されている。固定接点２２とドーム状接片２３はスイッチ板１９に形成された異なる系統の配線パターンにそれぞれ接続されている。
【０００９】
そして、スイッチ板１９の表面にはドーム状接片２３の位置ズレを防止し且つスイッチ板１９を保護するために透明シート２４が貼り付けられている。この透明シート２４には、各ドーム状接片２３の縁部の位置に空気抜き孔２５が形成されている。
【００１０】
更に、前記表示板取付部１６に対しスイッチ板１９の外形輪郭よりも広い面積に形成された薄板状の表示板２６が、前記スイッチ板１９を上から覆った状態でその裏面の周縁部を粘着材２７により接着されている。
【００１１】
この表示板２６とスイッチ板１９との間には空気抜き孔２５から出入りする空気を通す間隙２８が形成されている。そして、表示板２６には、前記スイッチ部２１に対応する位置にドーム状の操作部２９が形成され、操作部２９の表面には「切」「弱」「中」「強」などの文字あるいは図形などが記されている。表示板２６は、スイッチ板１９を保護し、外部からの水分の浸入を防止すると共に、手元操作部８の表示の役目を果たしている。
【００１２】
なお、前記接続管カバー１５には、下部に位置決め用突起部３０，３１などが設けられており、この位置決め用突起部３０，３１は接続管５の前記カバー取付座部９に形成された位置決め孔に嵌合されて位置決めを行わせるようになっている。
【００１３】
かかる構成によれば、手元操作部８に設けられたスイッチ部２１の操作部２９の上から押すと、ドーム状接片２３が凹んで固定接点２２と接触してスイッチ部２１がオンする。このオンにより掃除機本体１の電力制御回路へ送られ、電動送風機が駆動あるいは停止されたり、所定の強さに制御される。
【００１４】
ドーム状接片２３が凹んだ際には、ドーム状接片２３の内部に閉じ込められた空気が透明シート２４に形成された空気抜き孔２５から表示板２６との間の間隙２８へ抜け出るようになっている。
【００１５】
そして、電動送風機が駆動されると、吸込口体７、延長管６、握り管部４、接続管５、可撓性のホース３を介してゴミが吸引され、吸込口２から掃除機本体１の集塵部へ集められる。
【００１６】
【発明が解決しようとする課題】
ところで、上記のような電気掃除機にあっては、使用者によって汚れを落とすためにホース３を水洗いしたり、濡れた手で手元操作部８を操作したりするような使われ方がなされることがあり、このような場合、接続管カバー１５の段差付縁部１２と接続管５の縁受け部１０との間などから内部空間１４へ水３２が浸入し、この水３２が接続管カバー１５に形成された配線孔１８を通してスイッチ板１９の表面に達し、スイッチ板１９の表面に貼られた透明シート２４の空気抜き孔２５からドーム状接片２３内に入ってしまい、接片２３や接点２２が腐食して接触不良を引き起こすおそれがあった。
【００１７】
そこで、本発明の目的は、上記の問題点を解消し、手元操作部のスイッチ部への水の浸入による接触不良を防止することのできる電気掃除機を提供することにある。
【００１８】
【課題を解決するための手段】
上記課題を解決するために、請求項１に記載された発明では、掃除機本体と、該掃除機本体の吸込口に接続される可撓性のホースと、該ホースの先端部に設けられた接続管と、該接続管の先端部に延長管を介して取付け可能な吸込口体と、前記接続管の外面に設けられた手元操作部と、前記掃除機本体からホースを介して手元操作部へ導かれる信号線とを備え、
前記手元操作部が、開放端面を有しこの開放端面が接続管の外面に密接されることにより接続管との間に内部空間を形成すると共に前記開放端面とは反対側の表面に前記内部空間へ通じる配線孔が設けられた接続管カバーと、該接続管カバーの表面に取付けられると共に一部が前記配線孔から前記内部空間へ通されて前記信号線に接続されるスイッチ板と、このスイッチ板に設けられたスイッチ部と、前記スイッチ板を所要の間隙を有して覆った状態で裏面の周縁部を前記接続管カバーの表面に外部からの水分の侵入を防止可能に取付けられ前記スイッチ部に対応した位置に形成された操作部を有する表示板とを備えた電気掃除機において、
前記接続管カバーに形成された前記配線孔をシール部材で、前記内部空間側から前記スイッチ板と表示板との間への水の侵入を防止可能に閉塞したことを特徴とする。
【００１９】
請求項２の発明は、前記シール部材が、前記表示板の裏面の周縁部に形成された粘着材の塗布範囲を前記配線孔の部分にまで拡張して、配線孔の周縁部に沿った部分に接着することにより、配線孔を閉塞させるよう構成したことを特徴とする。
【００２０】
【実施形態】
以下、この発明に係る電気掃除機の実施形態を図示例と共に説明する。
【００２１】
図１乃至図５は、この発明の実施形態を示すものである。
【００２２】
家庭用の電気掃除機は、電動送風機と電力制御回路と集塵部とを有する掃除機本体４１を備えており、この掃除機本体４１の吸込口４２には着脱自在にホース４３が接続されている。
【００２３】
このホース４３の先端部には接続管４５が取り付けられており、この接続管４５に接続管の一部としての握り管４４が回転自在に取り付けられている。握り管４４には延長管４６を介して床ブラシなどの吸込口体４７が取り付けられる。
【００２４】
また、接続管４５には外面の上側部に手元操作部４８が取付けられており、手元操作部４８には掃除機本体４１からの図示しない信号線がホース４３を介して導かれている。
【００２５】
この手元操作部４８は、接続管４５の上側部に形成されたカバー取付座部４９と、このカバー取付座部４９に形成された縁受け部５０にネジ５３により取り付けられた接続管カバー５５とを備えている。接続管カバー５５は開放端面５１を有し、この開放端面５１には段差付縁部５２が形成され、この段差付縁部５２がカバー取付座部４９の縁受け部５０に密接されており、カバー取付座部４９と接続管カバー５５とによって内部空間５４が形成されている。
【００２６】
この接続管カバー５５には開放端面５１とは反対側の表面に凹状の表示板取付部５６が形成され、この表示板取付部５６の内側には更に凹状のスイッチ取付部５７が形成されており、このスイッチ取付部５７の端部に内部空間５４へ通じる配線孔５８が形成されている。
【００２７】
そして、前記スイッチ取付部５７に対し薄板状の配線基板から成るスイッチ板５９が接着剤などを用いて貼付けられると共に、スイッチ板５９の一部が前記配線孔５８から内部空間５４へ通されてホース４３側へ折り返されて信号線６０に接続されている。
【００２８】
このスイッチ板５９には、複数のスイッチ部６１が設けられている。このスイッチ部６１はスイッチ板５９に一体形成された固定接点６２と、この固定接点６２を覆うようにスイッチ板５９上に配置された変形復帰可能なドーム状接片６３とで構成されている。固定接点６２とドーム状接片６３はスイッチ板５９に形成された異なる系統の配線パターンにそれぞれ接続されている。
【００２９】
そして、スイッチ板５９の表面にはドーム状接片６３の位置ズレを防止し且つスイッチ板５９を保護するために透明シート６４が貼り付けられている。この透明シート６４には、各ドーム状接片６３の縁部の位置に空気抜き孔６５が形成されている。
【００３０】
更に、前記表示板取付部５６に対しスイッチ板５９の外形輪郭よりも広い面積に形成された薄板状の表示板６６が、前記スイッチ板５９を上から覆った状態でその裏面の周縁部を粘着材６７により接着されている。
【００３１】
この表示板６６とスイッチ板５９との間には空気抜き孔６５から出入りする空気を通す間隙６８が形成されている。そして、表示板６６には、前記スイッチ部６１に対応する位置にドーム状の操作部６９が形成され、各操作部６９の表面には「切」「弱」「中」「強」などの文字あるいは図形などが記されている。表示板６６は、スイッチ板５９を保護し、外部からの水分の浸入を防止すると共に、手元操作部４８の表示の役目を果たしている。
【００３２】
なお、前記接続管カバー５５には、下部に位置決め用突起部７０，７１などが設けられており、この位置決め用突起部７０，７１は接続管４５の前記カバー取付座部４９に形成された位置決め孔に嵌合されて位置決めを行わせるようになっている。
【００３３】
そして、この実施形態では、接続管カバー５５に形成された配線孔５８が表示板６６を表示板取付部５６に接着させる粘着材６７によって閉塞されている。すなわち、粘着材６７を配線孔５８を閉塞するシール部材７３として利用している。
【００３４】
この配線孔５８が粘着材６７によって閉塞されていることにより、接続管カバー５５と接続管４５との間の内部空間５４に水７２が浸入しても、スイッチ板５９と表示板６６との間に水７２が浸入してしまうことが防止される。このため、接片６３や接点６２が水により腐食して接触不良を引き起こしてしまうことが防止される。
【００３５】
この実施形態では、表示板６６裏面の周縁部を塗布する粘着材６７の塗布範囲を配線孔５８の部分にまで拡張して（粘着材拡張形成部７４）、配線孔５８の周縁部に沿った部分を接着して配線孔５８を閉塞させるようにしたものであるから、表示板６６を接続管カバー５５の表示板取付部５６へ貼るだけで配線孔５８の閉塞が完了するので、簡単且つ確実にスイッチ部６１の接触不良を防止することができる。
【００３６】
上記実施形態では、シール部材７３として粘着材６７を利用しているが、専用のシール部材７３によって配線孔５８を閉塞してもよい。
【００３７】
【発明の効果】
以上説明してきたように、請求項１の発明によれば、接続管カバーに形成された配線孔をシール部材で閉塞することにより、接続管カバーと接続管との間の内部空間に水分が浸入した場合でも、接続管カバーに形成された配線孔はシール部材で閉塞されているので、スイッチ板と表示板との間に水が浸入してしまうことが防止される。このため、スイッチ部へ水が入ってスイッチ部の接点や接片を腐食させ接触不良を引き起こすようなことが防止される。
【００３８】
請求項２の発明によれば、表示板裏面の周縁部に形成される粘着材の形成範囲を配線孔の部分にまで拡張して粘着材拡張形成部を設け、配線孔の周縁部に沿った部分へ粘着材拡張形成部を接着して配線孔を閉塞させるようにすることにより、表示板を接続管カバーへ貼るだけで配線孔の閉塞が完了するので、簡単且つ確実に接点部の接触不良を防止することができる。
【図面の簡単な説明】
【図１】本発明の実施形態にかかる電気掃除機の全体概略図である。
【図２】図１の部分拡大図である。
【図３】図２の側方断面図である。
【図４】接続管カバー部分の分解斜視図である。
【図５】図３の部分拡大図である。
【図６】従来例にかかる電気掃除機の全体概略図である。
【図７】図５の部分拡大図である。
【図８】図６の側方断面図である。
【図９】接続管カバー部分の分解斜視図である。
【図１０】図８の部分拡大図である。
【符号の説明】
４１  掃除機本体
４２  吸込口
４３  ホース
４４  握り管部
４５  接続管
４６  延長管
４７  吸込口体
４８  手元操作部
５１  開放端面
５４  内部空間
５５  接続管カバー
５８  配線孔
５９  スイッチ板
６６  表示板
６７  粘着材
６８  間隙
６９  スイッチ表示部
７３  シール部材
７４  粘着材拡張形成部
【図１】
0003645425.tif 000002
【図２】
0003645425.tif 000003
【図３】
0003645425.tif 000004
【図４】
0003645425.tif 000005
【図５】
0003645425.tif 000006
【図６】
0003645425.tif 000007
【図７】
0003645425.tif 000008
【図８】
0003645425.tif 000009
【図９】
0003645425.tif 000010
【図１０】
0003645425.tif 000011